(57)【要約】【課題】大谷石構築物の表層面だけを取替え、その時に大谷石構築物本体と取替えた表層面との間に補強部材を取付けて補強修復する。  【解決手段】風化した大谷石構築物１のはつり面２に溝切りをし、その溝内に配筋をして、接着剤やモルタル等１１で鉄筋７を埋め、他の大谷石をスライスした大谷石の石板９をはつり面２に圧着する。【選択図】図１
2011220030.tif 000002
【特許請求の範囲】
【請求項１】
風化した大谷石構築物の表層面をはつり、はつり面に溝切りを行い、その溝内に配筋し、鉄筋が露出しないように接着剤を使用してモルタル等で溝内に埋め、次いで別の大谷石を何枚にもスライスした一枚の大谷石の石板の裏面に接着剤を塗布して、前記のはつり面に圧着し、貼り込まれた大谷石の石板に目地を入れた大谷石構築物の補強修復方法。
【請求項２】
モルタル等で埋込まれた鉄筋から引いた針金に溶接メッシュを掛けるようにした請求項１記載の大谷石構築物の補強修復方法。
【請求項３】
大谷石をスライスして形成した大谷石石板の厚さを２０ｍｍ〜５０ｍｍ程度とした請求項１記載の大谷石構築物の補強修復方法。
【請求項４】
使用する接着剤をエポキシ系接着剤とした請求項１記載の大谷石構築物の補強修復方法。
【発明の詳細な説明】
【技術分野】
【０００１】
本発明は、大谷石の石垣、門柱、または石塀などの構築物の風化により損傷した表層面のみを美しく、堅固にかつ安価に修復する大谷石構築物の補強修復方法に関するものである。  
【背景技術】
【０００２】
大谷石は和やかな雰囲気にかゝわらず、石垣等の裏に留まった多量の雨水を吸収し、太陽に向かって撥水し続け、土留め等の崩壊、倒壊の危険から救ってくれるのに対し、コンクリートは力で押し返そうとし、耐えられなくなった時に倒壊する。
【０００３】
大谷石は竹の皮と同じく吸水、撥水機能にすぐれ、併せて街の喧騒、騒音を障子紙の様に吸収し、静寂な住環境を守ってくれる。
【０００４】
しかし、大谷石も歳月を重ね過ぎ、表面風化が激しく進み、倒壊の危険を感じる石垣、石塀が多く、新しい石で積み直しが必要だが、山は掘り尽され、地下深くの埋蔵量も近年底をつきつつある。
【０００５】
住宅街等に数多く使われている大谷石の石垣、門柱および石塀などの構築物は、その構築後２０年、または３０年以上の歳月を経て使用しているうちに、風雨や強烈な太陽、および寒冷気象などの自然環境と、近年とみに厳しくなった各種環境汚染などにより、その大谷石の表層面が風化し、砂状にボロボロと崩れ落ちはじめ、これを放置しておくと、門柱や石塀の倒壊や、石垣の崖崩れなどが起り、危険な状態となる。
【０００６】
特に、下段の庭土に接している大谷石の皮膚が崩れ落ち、白く痩せ細り弱体化した大谷石構築物が数多く見うけられる。この場合、解体して、新しく積み直しするには、大谷石資源の先細りや、人手不足、廃材処理、工事騒音、住宅地内への重量物運搬などの問題点が多く、しかもコストがかさむことになる。
【０００７】
一方、大谷石構築物の損傷は、表層面のみであり、その内層面は健在であるのが通常であるので、それを解体せずに傷んでいる表層面のみを新しい大谷石の石板と取替える時を利用して、その構築物をさらに強固にすることができれば、上記の諸問題点が解決できることに着目して、種々検討ならびに実験を重ねた結果本発明に到達した。
【先行技術文献】
【特許文献】
【０００８】
【特許文献１】特公平６−９２７０３号公報
【発明の概要】
【発明が解決しようとする課題】
【０００９】
本発明は、前記従来の問題点を解決するためになされたものであり、風化により損傷した大谷石構築物の表層面のみを美しく取替えでき、しかも安価に施工できるだけでなく、風化により損傷した大谷石構築物の表面のみをきれいにするが、その時を利用して大谷石構築物の補強を行うのである。つまり大谷石の表層面をはつり取り、新しい大谷石の石板をそのはつり面に圧着する作業をする時を利用して、大谷石構築物の中に鉄筋を配筋したり、また溶接メッシュを取付けることにより大谷石構築物をそれ迄以上に強固にすることにある。
【課題を解決するための手段】
【００１０】
本発明は風化した大谷石構築物の表層面をはつり取り、そのはつり面を洗浄した後、はつり面に溝切りを行い、その溝内に配筋し、鉄筋が露出しないように接着剤を使用してモルタル等で溝内に埋め、次いで、別の大谷石を何枚にもスライスした夫々の大谷石の石板の仕上げ裏面に接着剤を塗布して、前記の洗浄したはつり面に圧着して、圧着補強のために大谷石の石板にコンクリート釘を打込み、貼り込まれた大谷石の石板に目地を入れ、乾燥後、大谷石風化防止剤を塗布する大谷石構築物の補強修復方法からなる。
【００１１】
またその場合に、モルタル等で埋込まれた鉄筋から引いた針金に溶接メッシュを掛けるようにしたり、また、大谷石をスライスして形成した大谷石の石板の厚さを２０ｍｍ〜５０ｍｍ程度としたりし、さらには使用する接着剤をエポキシ系接着剤としたりして、大谷石構築物の修復と同時に大谷石構築物全体を補強する方法からなる。
【発明の効果】
【００１２】
本発明は、以上に説明した本発明の補強修復方法によれば、風化などにより損傷した大谷石構築物の表層面のみを新品と同じ大谷石の石板で置き換えることになり、修復後は長期にわたり崩れなどの損傷が防止でき、美観が保たれると共に、大谷石の石板を、はつり削った大谷石の表層面に圧着する時を利用して自然に無理なく、鉄筋や溶接メッシュを大谷石構築物に付与することができるので、効率的で、かつ容易に大谷石構築物の補強と修復を可能とすることができる。
【００１３】
また、大谷石の修復がその表層面のみであるので、天然資源の少なくなっている大谷石の使用量が少なくてすみ、省資源に貢献でき、かつ廃材も極めて少なく、材料の運搬も軽車両で行なえ、作業中の近隣への騒音などの迷惑も少なくてすむという効果がある。さらに、本発明によれば、大谷石の解体や積み直しを行なう場合に比較して、極めて経済的であるという利点があり、塀、石垣その他あらゆる大谷石構築物に対して有効に適用することができる。
【図面の簡単な説明】
【００１４】
【図１】本発明の大谷石構築物の一部を切断した平面図である。
【図２】本発明の大谷石構築物において、大谷石の石板を圧着する前における配筋をした状態を示す側面図である。
【発明を実施するための形態】
【００１５】
以下、本発明の大谷石構築物の補強修復方法の実施形態を説明する。
【００１６】
図１には、大谷石構築物１の風化された表層面側をはつり取ったあとのはつり面２が示されており、はつり面２は風化された表層面からほゞ２５ｍｍ〜１００ｍｍ程度はつり取って形成される。
【００１７】
次に、削り落したはつり面２の石粉等を除去し、接着効果を高めるために高水圧洗浄を行うが、高圧空を用いて洗浄してもよい。水圧としては一般には８ＭＰａ程度の水圧を用いる。
【００１８】
擁壁や石垣等の場合は、控え石小口３にコの字型に切り込み４を入れ、そこにアンカー５を打ち込み、異型鉄筋６を掛ける。使用する異型鉄筋６は直径が４〜１２ｍｍ程度のものを用いる。
【００１９】
大谷石のはつり面２には〔図２〕に示すようにタテ方向およびヨコ方向に切り溝を入れてその切り溝に添って異型鉄筋６、７を配筋する。
【００２０】
異型鉄筋７が露出しないように、配筋した溝にエポキシ系接着剤を使用し、モルタルで異型鉄筋７を埋める。
【００２１】
場合によっては、仕上げ面を想定して、大谷石のはつり面２にはエポキシ系接着剤、モルタル等にて下地を調整しておく場合がある。
【００２２】
また、更なる補強を必要とする場合には、モルタル等１１にて埋込まれた異型鉄筋７から引いた針金により引掛けて溶接メッシュを異型鉄筋７に接するごとく異型鉄筋７と併用することもある。
【００２３】
このようにして、はつり面２に補強のための異型鉄筋７や、異型鉄筋７と併用した溶接ネットを固着した後に、大谷石の石板９を大谷石構築物１の前面に図１に示すように圧着させる。
【００２４】
圧着に際しては、仕上げ裏面１０にエポキシ系接着剤１１を塗布した大谷石の石板の厚さは一般に２０ｍｍ〜５０ｍｍ程度のものを使用する。その場合はモルタル等をはさみ込み、ゴムハンマー、バイブレーター等を使用して内面の大谷石構築物１と石板９との間に空間をなくして密着するようにする。
【００２５】
さらに、大谷石の石板の圧着を強固にするために、一枚の大谷石の石板９（ヨコ９００ｍｍ、タテ３００ｍｍ、厚さ２０ｍｍ〜５０ｍｍ）１枚に対して２〜５本程度のコンクリート釘１２を打込む。
【００２６】
かくして既存の大谷石構築物、例えば石塀、擁壁、石垣等の補強修復工事を行うのである。
【００２７】
このようにして貼り込まれた大谷石の石板には目地を入れて乾燥した後に、大谷石風化防止剤を塗布する。
【００２８】
以上のようにして、大谷石構築物の本体と、新たに貼り込まれた大谷石の石板との間に異型鉄筋、溶接メッシュ等を埋設する事により、本体の補強と完成物の強度を高め、落石、崩れ等を抑制する効果を持つことができる。
【００２９】
又、既存大谷石塀・擁壁・石垣等は、昭和初期から同４０年代に建築された物が多く、中心部に鉄筋が埋設されていないのが実情である。
【００３０】
又、同時期に組み込まれた大谷石はモルタルとの接着面が剥離している場合が多く危険である。
【００３１】
この様な状態の大谷石塀・擁壁・石垣等の風化を止め、新しい表層面と取り替えると共に、内面に異型鉄筋、溶接メッシュ等を埋設することにより、大谷石構築物の補強を同時に行うことが出来るのである。
【００３２】
よって、本発明を端的に云えば、大谷石の石塀、擁壁、石垣等で鉄筋等による補強がされていない場合に、これを補強構造にするために鉄筋を入れるとしても、実質的に全部破壊して作り直す必要があるところ、その風化している表層面のみをはつり取って、そこに配筋をして、そのはつり取った面に、スライスして得た大谷石の石板を接合するという簡単で、かつ有効に、大谷石を活用してその補強をすることができると同時に大谷石の表層面をきれいにすることができるという一石二鳥の効果を奏するのである。
【符号の説明】
【００３３】
１  大谷石構築物
２  はつり面
５  アンカー
６  異型鉄筋
７  異型鉄筋
９  大谷石の石板
１０  仕上げ裏面
１１  接着剤、モルタル等
【図１】
2011220030.tif 000003
【図２】
2011220030.tif 000004